(57)【要約】【課題】  視聴者が見る色に合った最適な色補正を手軽に行なうことを可能とする。【解決手段】  テレビ受像機１０に付属のリモコン装置３０に、キャリブレーション画像を撮像するイメージセンサ３３を設ける。そうして、リモコン装置３０により放送チャンネルの切り替えがなされたとき、または電源がオンされたときに、受像機本体２０にキャリブレーション画像を表示して、リモコン装置３０のイメージセンサ３３によってキャリブレーション画像を撮像する。その撮像結果に基づいてキャリブレーションを行なう。【選択図】図３
2008066830.tif 000002
【特許請求の範囲】
【請求項１】
入力画像の表示を行なう画像表示装置本体と、
前記画像表示装置本体を遠隔操作するリモコン装置と
を備える画像表示システムであって、
前記画像表示装置本体に備えられ、キャリブレーション画像を表示するキャリブレーション画像表示手段と、
前記リモコン装置に設けられ、前記画像表示装置本体に表示されたキャリブレーション画像を撮像する撮像手段と、
前記撮像手段からの撮像情報に基づいて、前記画像表示装置本体に表示されたキャリブレーション画像についての撮像色を求める撮像色演算手段と、
前記撮像色を基準色に変換するための色変換データを生成する色変換データ生成手段と、
前記画像表示装置本体に設けられ、前記色変換データに基づいて前記入力画像の色補正を行なう色補正手段と
を備える画像表示システム。
【請求項２】
請求項１に記載の画像表示システムであって、
操作者によるリモコン装置に対する入力が、予め定められた所定の操作指令であるか否かを判定する判定手段を備え、
前記キャリブレーション画像表示手段は、前記判定手段により前記所定の操作指令であると判定されたときに前記キャリブレーション画像を表示し、
前記撮像手段は、前記判定手段により前記所定の操作指令であると判定されたときに前記キャリブレーション画像を撮像する
画像表示システム。
【請求項３】
請求項２に記載の画像表示システムであって、
前記画像表示装置本体は、テレビ受像機本体であり、
前記所定の操作指令は、放送チャンネルの切り替えの指令である
画像表示システム。
【請求項４】
請求項２または３に記載の画像表示システムであって、
前記所定の操作指令は、前記画像表示装置本体の電源をオンする指令である
画像表示システム。
【請求項５】
テレビジョン放送を受信する受像機本体と、
前記受像機本体を遠隔操作するリモコン装置と
を備えるテレビ受像機であって、
前記受像機本体は、
前記リモコン装置本体から予め定められた所定の操作指令が入力されたときに、キャリブレーション画像を表示するキャリブレーション画像表示手段
を備え、
前記リモコン装置は、
前記受像機本体に表示されたキャリブレーション画像を撮像する撮像手段と、
前記撮像手段からの撮像情報に基づいて、前記受像機本体に表示されたキャリブレーション画像についての撮像色を求める撮像色演算手段と、
前記求められた撮像色を示す撮像色情報を、前記受像機本体との間でやり取りする伝送信号に変換して前記受像機本体に送信する撮像色情報送信手段と
を備え、
さらに、
前記受像機本体は、
前記撮像色情報送信手段により送信された信号を受信して前記撮像色情報を得る撮像色情報受信手段と、
前記撮像色情報で示される撮像色を基準色に変換するための色変換データを生成する色変換データ生成手段と、
前記色変換データに基づいて前記テレビジョン放送の映像に対して色補正を行なう色補正手段と
を備えるテレビ受像機。
【請求項６】
請求項５に記載のテレビ受像機であって、
前前記リモコン装置は、
前記撮像色演算手段により求められた撮像色を示す撮像色情報をデータ圧縮して、その圧縮後の映像色情報を前記変換用とする手段
を備えるテレビ受像機。
【請求項７】
請求項５または６に記載のテレビ受像機であって、
前記リモコン装置は、操作者による入力が予め定められた所定の操作指令であるか否かを判定する判定手段を備え、
前記キャリブレーション画像表示手段は、前記判定手段により前記所定の操作指令であると判定されたときに前記キャリブレーション画像を表示し、
前記撮像手段は、前記判定手段により前記所定の操作指令であると判定されたときに前記キャリブレーション画像を撮像する
テレビ受像機。
【請求項８】
請求項７に記載のテレビ受像機であって、
前記所定の操作指令は、放送チャンネルの切り替えの指令である
テレビ受像機。
【請求項９】
請求項７または８に記載のテレビ受像機であって、
前記所定の操作指令は、前記画像表示装置本体の電源をオンする指令である
テレビ受像機。
【請求項１０】
リモコン装置を用いて画像表示装置本体を遠隔操作して前記画像表示装置本体で画像を表示する画像表示方法であって、
前記リモコン装置に対する操作者による入力が予め定められた所定の操作指令であるか否かを判定し、
前記所定の操作指令であると判定されたときに、キャリブレーションを実行するタイミングである旨を示す指令信号を前記画像表示装置本体に送信し、
前記画像表示装置本体で、キャリブレーション画像を表示し、
前記リモコン装置に設けられた撮像手段により、前記画像表示装置本体に表示されたキャリブレーション画像を撮像し、
前記撮像手段からの撮像情報に基づいて、前記画像表示装置本体に表示されたキャリブレーション画像についての撮像色を求め、
前記撮像色を基準色に変換するための色変換データを生成し、
前記画像表示装置本体では、前記色変換データに基づいて前記入力画像の色補正を行なうこと
を特徴とする画像表示方法。
【発明の詳細な説明】
【技術分野】
【０００１】
本発明は、リモコン装置を備える画像表示システムとテレビ受像機に関するものである。
【背景技術】
【０００２】
近年、家庭用テレビは高画質化が進んでいる。その一方で、テレビ受像機は、周囲光や温度、経年変化等の影響を受け易く画質調整が難しい。テレビの画質を調整するものとしては、光センサをテレビ画面中央に貼り付けて、その光センサで得られた測色データと基準となる色とを比較して、その色差に基づいて色補正を行なうキャリブレーションの技術がある。
【０００３】
さらに、特許文献１に示すように、液晶パネルの背面側に配設されたバックライト付近に光センサを設けて、その光センサにより検出された信号を用いてキャリブレーションを行なう構成が提案されている。
【０００４】
【特許文献１】特開２００６−９１２３５
【０００５】
しかしながら、前記従来の技術では、測色データはあくまでも発光側で得られたもので、視聴者が受ける色との間で乖離があった。発光面から視聴者の目に届くまでには、環境光等を含む更に様々な要因によって色変化が発生するためである。このために、視聴者が見る色に合った最適な色補正を行なうことができないという問題があった。
【０００６】
前者の画面中央に光センサを貼り付ける技術では、局所的な計測を繰り返し行なう必要があり、操作者にとっては使い勝手が悪いという問題もあった。
【発明の開示】
【発明が解決しようとする課題】
【０００７】
本発明の解決しようとする課題は、視聴者が見る色に合った最適な色補正を手軽に行なうことを可能とすることにある。
【課題を解決するための手段】
【０００８】
前述した課題の少なくとも一部を解決するための手段として、以下に示す構成をとった。
【０００９】
本発明の画像表示システムは、
入力画像の表示を行なう画像表示装置本体と、
前記画像表示装置本体を遠隔操作するリモコン装置と
を備える画像表示システムであって、
前記画像表示装置本体に備えられ、キャリブレーション画像を表示するキャリブレーション画像表示手段と、
前記リモコン装置に設けられ、前記画像表示装置本体に表示されたキャリブレーション画像を撮像する撮像手段と、
前記撮像手段からの撮像情報に基づいて、前記画像表示装置本体に表示されたキャリブレーション画像についての撮像色を求める撮像色演算手段と、
前記撮像色を基準色に変換するための色変換データを生成する色変換データ生成手段と、
前記画像表示装置本体に設けられ、前記色変換データに基づいて前記入力画像の色補正を行なう色補正手段と
を備えることを要旨としている。
【００１０】
リモコン装置は、操作時には必ず画像表示装置本体の表示面に向けて使用され、その使用される位置は、操作者が入力画像を見る位置とほぼ一致する。前記構成の画像表示システムによれば、キャリブレーション画像を撮像する撮像手段をリモコン装置に設けたことから、リモコン装置の操作者が受ける色を撮像手段および撮像色演算手段により求めることができる。このために、操作者が見る色を基準色に変換するための色変換データを色変換データ生成手段により生成することが可能となる。したがって、操作者が見る色に合った最適な色補正を行なうことができる。しかも、操作者は、キャリブレーションのための特別な作業は不要であることから色補正を手軽に行なうことができる。
【００１１】
前記画像表示システムにおいて、操作者によるリモコン装置に対する入力が、予め定められた所定の操作指令であるか否かを判定する判定手段を備え、前記キャリブレーション画像表示手段は、前記判定手段により前記所定の操作指令であると判定されたときに前記キャリブレーション画像を表示し、前記撮像手段は、前記判定手段により前記所定の操作指令であると判定されたときに前記キャリブレーション画像を撮像する構成としてもよい。
【００１２】
この構成によれば、リモコン装置の操作を行なったとき、キャリブレーションが行なわれる。リモコン装置の操作を行なったときの位置は、操作者が入力画像を見る位置とほぼ一致することから、操作者が見る色に合った最適な色補正をより確実に行なうことができる。
【００１３】
前記画像表示装置本体は、テレビ受像機本体であり、前記所定の操作指令は、放送チャンネルの切り替えの指令である構成としてもよい。
【００１４】
この構成によれば、放送チャンネルの切り替えという日常的な操作の中でキャリブレーションを行なうことができる。また、キャリブレーション画像が表示されるのは、放送チャンネルが切り替わるその一瞬であることから、操作者は表示面を見ていても視覚的に違和感を感じることが少ない。
【００１５】
前記所定の操作指令は、前記画像表示装置本体の電源をオンする指令である
構成としてもよい。
【００１６】
この構成によれば、リモコン装置によって画像表示装置本体の電源をオンしたときにキャリブレーションを行なうことができる。
【００１７】
本発明のテレビ受像機は、
テレビジョン放送を受信する受像機本体と、
前記受像機本体を遠隔操作するリモコン装置と
を備えるテレビ受像機であって、
前記受像機本体は、
前記リモコン装置本体から予め定められた所定の操作指令が入力されたときに、キャリブレーション画像を表示するキャリブレーション画像表示手段
を備え、
前記リモコン装置は、
前記受像機本体に表示されたキャリブレーション画像を撮像する撮像手段と、
前記撮像手段からの撮像情報に基づいて、前記受像機本体に表示されたキャリブレーション画像についての撮像色を求める撮像色演算手段と、
前記求められた撮像色を示す撮像色情報を、前記受像機本体との間でやり取りする伝送信号に変換して前記受像機本体に送信する撮像色情報送信手段と
を備え、
さらに、
前記受像機本体は、
前記撮像色情報送信手段により送信された信号を受信して前記撮像色情報を得る撮像色情報受信手段と、
前記撮像色情報で示される撮像色を基準色に変換するための色変換データを生成する色変換データ生成手段と、
前記色変換データに基づいて前記テレビジョン放送の映像に対して色補正を行なう色補正手段と
を備えることを要旨としている。
【００１８】
リモコン装置は、操作時には必ず受像機本体の表示面に向けて使用され、その使用される位置は、視聴者がテレビ映像を視聴する位置とほぼ一致する。前記構成のテレビ受像機によれば、キャリブレーション画像を撮像する撮像手段をリモコン装置に設けたことから、リモコン装置を操作する視聴者が受ける色を撮像手段および撮像色演算手段により求めることができる。このために、視聴者が見る色を基準色に変換するための色変換データを色変換データ生成手段により生成することが可能となる。したがって、視聴者が見る色に合った最適な色補正を行なうことができる。しかも、視聴者は、キャリブレーションのための特別な作業は不要であることから色補正を手軽に行なうことができる。
【００１９】
前記リモコン装置は、前記撮像色演算手段により求められた撮像色を示す撮像色情報をデータ圧縮して、その圧縮後の映像色情報を前記変換用とする手段を備える構成としてもよい。
【００２０】
この構成によれば、リモコン装置から受像機本体に通信するデータ量を少なくすることができることから、リモコン装置が、例えば赤外線といった比較的、伝送帯域が狭い方式で通信を行なっている場合にも対応することが容易である。
【００２１】
本発明の画像表示方法は、
リモコン装置を用いて画像表示装置本体を遠隔操作して前記画像表示装置本体で画像を表示する画像表示方法であって、
前記リモコン装置に対する操作者による入力が予め定められた所定の操作指令であるか否かを判定し、
前記所定の操作指令であると判定されたときに、キャリブレーションを実行するタイミングである旨を示す指令信号を前記画像表示装置本体に送信し、
前記画像表示装置本体で、キャリブレーション画像を表示し、
前記リモコン装置に設けられた撮像手段により、前記画像表示装置本体に表示されたキャリブレーション画像を撮像し、
前記撮像手段からの撮像情報に基づいて、前記画像表示装置本体に表示されたキャリブレーション画像についての撮像色を求め、
前記撮像色を基準色に変換するための色変換データを生成し、
前記画像表示装置本体では、前記色変換データに基づいて前記入力画像の色補正を行なうこと
を要旨としている。
【００２２】
本発明の画像表示方法は、本発明の画像表示システムと同様に、視聴者が見る色に合った最適な色補正を手軽に行なうことができるという効果を奏する。
【発明を実施するための最良の形態】
【００２３】
以下、本発明の実施の形態を実施例に基づいて説明する。
Ａ．システム全体：
Ｂ．各部の機能
Ｃ．処理の流れ：
Ｄ．作用・効果：
Ｅ．他の実施形態：
【００２４】
Ａ．システム全体：
図１は、本発明の一実施例の画像表示システムを構成するテレビ受像機１０の概略構成図である。テレビ受像機１０は、家庭用のもので、テレビジョン放送を受信する受像機本体２０と、受像機本体２０を遠隔操作するリモコン装置３０とを備える。リモコン装置３０は、操作者によりその正面３０ａをテレビ受像機１０に向けて使用されるもので、操作盤３１に各種ボタンスイッチが設けられており、これらボタンスイッチは受像機本体２０の遠隔操作時に押下される。各種ボタンスイッチとしては、電源のオンオフを指示する電源ボタンと、放送チャンネルを指定するチャンネル切り替えボタン等が設けられている。
【００２５】
図２は、リモコン装置３０の正面図である。図示するように、リモコン装置３０の正面３０ａには、赤外線送信部３２が設けられている。リモコン装置３０は、赤外線送信部３２から送信される赤外線により操作指令を示す情報を発する。赤外線送信部３２から送信された赤外線は、図１の破線に示すように直進して、受像機本体２０の赤外線受信部２１で受信される。
【００２６】
さらに、本実施例の特有の構成として、図２に示すように、リモコン装置３０の正面３０ａには、イメージセンサ３３（図３）の受光部３３ａが設けられている。このイメージセンサ３３は、本発明における撮像手段に相当する。イメージセンサ３３は、例えばＣＣＤ、ＣＭＯＳなどの撮像素子によって構成されており、リモコン装置３０が受像機本体２０から通常の距離だけ離れて使用されたときに受像機本体２０のディスプレイ部２２の表示面を撮影範囲とするよう設計されている。イメージセンサ３３の撮像結果は、Ｒ（赤）、Ｇ（緑）、Ｂ（青）の各信号として出力される。
【００２７】
Ｂ．各部の機能
図３は、受像機本体２０とリモコン装置３０内で実現される機能を示すブロック図である。図示するように、リモコン装置３０は、前述した操作盤３１、赤外線送信部３２、イメージセンサ３３以外に、操作指令生成部３４、キャリブレーションタイミング判定部３５、表示領域検出部３８、色度演算部３６、圧縮部３７を備える。なお、これら各部３４〜３７の機能は、リモコン装置３０に内蔵されるＣＰＵ（図示せず）が同じくリモコン装置３０に内蔵されるメモリ（図示せず）とデータのやり取りを行なうことにより実行される各種の処理により実現されている。
【００２８】
操作盤３１に備えられた各種ボタンスイッチが操作者により押下されると、その押下されたボタンスイッチに対応した操作指令を示す操作指令信号Ｓ１を操作指令生成部３４で生成して、赤外線送信部３２に対してその操作指令信号Ｓ１を送る。赤外線送信部３２は、操作指令信号Ｓ１に基づいて変調を行なった赤外線を受像機本体２０へ送信する。
【００２９】
キャリブレーションタイミング判定部３５は、操作指令生成部３４で生成された操作指令信号Ｓ１が予め定められた所定の操作指令についてのものであるか否かを判定して、所定の操作指令についてのものであると判定されたときに、キャリブレーションを実行するタイミングに至った旨を示す指令信号（以下、「キャリブレーションタイミング指令信号」と呼ぶ）Ｓ２を操作指令生成部３４に対して生成させる。上記所定の操作指令は、例えば、受像機本体２０の電源ボタンを押下して電源をオンとする操作指令、あるいは放送チャンネルの切り替えボタンを押下して放送チャンネルを切り替える操作指令などである。これら操作指令のいずれかが入力されると、操作指令生成部３４からキャリブレーションタイミング指令信号Ｓ２が出力され、赤外線送信部３２はキャリブレーションタイミング指令信号Ｓ２に基づいて変調を行なった赤外線を受像機本体２０へ送信する。
【００３０】
一方、受像機本体２０は、前述した赤外線受信部２１、ディスプレイ部２２以外に、受信部２３、映像処理部２４、キャリブレーション画像データ出力部２５、基準色度記憶部２６、色差演算部２７を備える。なお、映像処理部２４、キャリブレーション画像データ出力部２５および色差演算部２７の各機能は、受像機本体２０に内蔵されるＣＰＵ（図示せず）が同じく受像機本体２０に内蔵されるメモリ（図示せず）とデータのやり取りを行なうことにより実行される各種の処理により実現されている。基準色度記憶部２６はメモリである。受信部２３は、ディスクリートな電子回路である。
【００３１】
アンテナ４０で受けた映像信号は受信部２３により受信されて、映像処理部２４に送信される。映像処理部２４は、映像信号に基づく映像をディスプレイ部２２に表示させる。なお、受信部２３および映像処理部２４には、赤外線受信部２１で受信した赤外線で示される各種の操作指令信号Ｓ１が送られてきており、その操作指令信号Ｓ１に応じてチャンネルの切り替え等の各種処理が実行される。
【００３２】
また、受像機本体２０の赤外線受信部２１により、リモコン装置３０から送信されたキャリブレーションタイミング指令信号Ｓ２を示す赤外線が受信される。赤外線受信部２１により受信した赤外線に表わされるキャリブレーションタイミング指令信号Ｓ２は、キャリブレーション画像データ出力部２５に送られて、キャリブレーション画像データ出力部２５はキャリブレーション画像データを映像処理部２４に対して出力する。この結果、ディスプレイ部２２には、キャリブレーション画像が表示される。このキャリブレーション画像を表示するのに要した各部は、本発明におけるキャリブレーション画像表示手段に相当する。
【００３３】
本実施例では、キャリブレーション画像として、Ｒ（赤）、Ｇ（緑）、Ｂ（青）、Ｗ（白）の最高階調の４種類の色合い補正用キャリブレーション画像を１つずつ順に表示して、色合いを補正するキャリブレーションを行なっている。また、本実施例では、キャリブレーション画像として、Ｗ（白）の低階調域の第１の階調および第２の階調の２種類の階調補正用キャリブレーション画像を１つずつ順に表示して、階調を補正するキャリブレーションを行なっている。このように、色合い補正用に最高階調の色を用いることにより、再現可能な色域を最大限にすることができる。また、階調補正用に低階調の色を用いることにより、環境光の変化による明るさの変化を把握しやすい。なぜなら、低階調域では、高階調域に比べて環境光の影響を受けやすいからである。なお、基準色度記憶部２６に記憶されている色度は、上記キャリブレーション画像と対応しており、上記キャリブレーション画像のそれぞれの表示と基準色度記憶部２６からの基準色度の読み出しとの間のタイミングは同期するように構成されている。
【００３４】
リモコン装置３０に設けたイメージセンサ３３は、ディスプレイ部２２に表示された上記キャリブレーション画像を撮像する。リモコン装置３０に設けられた表示領域検出部３８は、イメージセンサ３３で得られた撮像情報（Ｒ，Ｇ，Ｂ値）から受像機本体２０のディスプレイ部２２の表示面に対応する部分を検出し、色度演算部３６は、その検出した部分の色度を求める処理を行なう。上記Ｒ，Ｇ，Ｂ値はデバイス依存の色信号であるが、色度演算部３６では、そのデバイス依存の色信号をデバイス非依存の色信号（三刺激値ＸＹＺ）に変換して、ＸＹＺ値を色度としている。なお、上記変換はイメージセンサ３３の色特性を考慮した所定の線形変換により演算される周知のもので、ここでは説明を省略する。この色度演算部３６は、本発明における撮像色演算手段に相当する。
【００３５】
その後、圧縮部３７により上記ＸＹＺ値で示される色度の情報をデータ圧縮して、その圧縮後の色度情報Ｓ３は赤外線送信部３２に送られる。赤外線送信部３２は色度情報Ｓ３に基づいて変調を行なった赤外線を送信する。すなわち、色度情報Ｓ３は、受像機本体２０との間でやりとりする伝送信号、ここでは赤外線に変換されて送信されることになる。
【００３６】
色度情報Ｓ３を赤外線受信部２１により受けた受像機本体２０は、色度情報Ｓ３を色差演算部２７に送る。色差演算部２７は、基準色度記憶部２６に予め記憶された基準色度と、上記赤外線受信部２１から送られてきた色度情報Ｓ３で表わされる色度とに基づいて色差ΔＥａ*ｂ*を算出する。具体的には、まず、所定の周知の方法で色度（Ｘ，Ｙ，Ｚ）をＣＩＥＬＡＢ色空間に変換して値（Ｌ*1，ａ*1，ｂ*1）を得て、基準色度記憶部２６に予め記憶された基準色度を示すＣＩＥＬＡＢ色空間上の値（Ｌ*2，ａ*2，ｂ*2）と上記値（Ｌ*1，ａ*1，ｂ*1）とを用いて、下記の式（１）により色差ΔＥａ*ｂ*を求める。
【００３７】
ΔＥａ*ｂ*＝［（Ｌ*2−Ｌ*1）2＋（ａ*2−ａ*1）2＋（ｂ*2−ｂ*1）2］1/2…（１）
【００３８】
色差演算部２７で得られた色差ΔＥａ*ｂ*は、映像処理部２４に含まれる色補正部２４ａに送られる。この色補正部２４ａには、本発明の「色変換データ」としてのカラー変換テーブルＣＴＬが予め備えられている。色補正部２４ａは、このカラー変換テーブルＣＴＬを色差ΔＥａ*ｂ*に基づいて更新する。色補正部２４ａでは、受信部２３により受信した映像信号に対してカラー変換テーブルＣＴＬに基づく色補正を行なう。カラー変換テーブルＣＴＬは、色差ΔＥａ*ｂ*に基づくものであることから、カラー変換テーブルＣＴＬに基づく色補正を行なうことでディスプレイ部２２に表示される画像の色を色差ΔＥａ*ｂ*の算出の基となった基準色度に調整することができる。色補正部２４ａによりカラー変換テーブルＣＴＬを更新する機能と前記色差演算部２７とによって、本発明における色変換データ生成手段が構成される。色補正部２４ａは、本発明における色補正部２４ａに相当する。
【００３９】
Ｃ．処理の流れ：
キャリブレーションを行なうキャリブレーションモード時に、受像機本体とリモコン装置３０でそれぞれ実行される処理の流れについて次に説明する。なお、受像機本体２０側の処理は、受像機本体２０に内蔵されたＣＰＵにより、同じく受像機本体２０に内蔵されたメモリに記憶されたコンピュータプログラムに従って実行されるものであり、リモコン装置３０側の処理は、リモコン装置３０に内蔵されたＣＰＵにより、同じくリモコン装置３０に内蔵されたメモリに記憶されたコンピュータプログラムに従って実行されるものである。各コンピュータプログラムは、ＣＤ−ＲＯＭ、フレキシブルディスク、光磁気ディスク、ＩＣカード等の他の携帯型記録媒体（可搬型記録媒体）に格納された構成として、これらから提供されたものとすることができる。また、このコンピュータプログラムは、外部のネットワークに接続される特定のサーバから、ネットワークを介して提供されたものとすることもできる。
【００４０】
図４は、リモコン装置３０により実行されるキャリブレーションモード時の処理を示すフローチャートである。このキャリブレーション処理は、ＣＰＵにより所定時間ごとに繰り返し実行される。処理が開始されると、ＣＰＵは、まず、リモコン装置３０から操作指令の入力があるか否かを判定する（ステップＳ１００）。ここで、その入力がないと判定された場合には、「リターン」に抜けてこの処理ルーチンの実行を一旦終了する。一方、入力があると判定された場合には、その入力された操作指令が電源ボタンを押下して電源をオンするものであるか否かを判定し（ステップＳ１１０）、また、その入力された操作指令が放送チャンネルの切り替えボタンを押下して放送チャンネルを切り替えるものであるか否かを判定する（ステップＳ１２０）。
【００４１】
ステップＳ１１０およびステップＳ１２０の双方で否定判定、すなわち、入力が電源オンの操作でもチャンネル切り替えの操作でもないと判定されたときには、ＣＰＵは、「リターン」に抜けてこの処理ルーチンの実行を一旦終了する。
【００４２】
一方、ステップＳ１１０およびステップＳ１２０のいずれかで肯定判定、すなわち、入力が電源オンの操作またはチャンネル切り替えの操作であると判定されたときには、ステップＳ１３０に処理を進めて、キャリブレーションタイミング指令信号Ｓ２を送信する処理を行なう（ステップＳ１３０）。詳細には、前述したキャリブレーションタイミング判定部３５、操作指令生成部３４、赤外線送信部３２の各機能を実現するよう処理を行なう。この処理の結果、赤外線送信部３２からは、キャリブレーションタイミング指令信号Ｓ２に基づいて変調を行なった赤外線が送信される。
【００４３】
図５は、受像機本体２０により実行されるキャリブレーションモード時の処理を示すフローチャートである。この処理は、受像機本体２０のＣＰＵにより所定時間ごとに繰り返し実行される。処理が開始されると、ＣＰＵは、まず、リモコン装置３０からキャリブレーションタイミング指令信号Ｓ２を受信したか否かを判定して（ステップＳ２００）、受信していないと判定されると、「リターン」に抜けてこのキャリブレーションモード時の処理を一旦終了する。
【００４４】
一方、ＣＰＵは、ステップＳ２００でキャリブレーションタイミング指令信号Ｓ２を受信したと判定されると、最初のキャリブレーション画像、すなわちＲの色合い補正用キャリブレーション画像をディスプレイ部２２に表示する（ステップＳ２１０）。詳細には、前述したキャリブレーション画像データ出力部２５および映像処理部２４の各機能を実現するよう処理を行なう。
【００４５】
図４に戻って、リモコン装置３０側では、ＣＰＵは、イメージセンサ３３を使って、受像機本体２０のディスプレイ部２２に表示されたＲの色合い補正用キャリブレーション画像を撮像して、その撮像によって得られた撮像情報を記憶する処理を行なう（ステップＳ１４０）。その後、ＣＰＵは、ステップＳ１４０で記憶した撮像情報から受像機本体２０のディスプレイ部２２の表示面に対応する部分の色度を求める処理を行なう。詳細には、前述した色度演算部３６の機能を実現するよう処理を行なう。続いて、ＣＰＵは、ステップＳ１５０で求めた色度をから得られる色度情報Ｓ３を受像機本体２０との間でやりとりする伝送信号（赤外線）に変換し、送信する処理を行なう（ステップＳ１６０）。詳細には、前述した圧縮部３７および赤外線送信部３２の各機能を実現するよう処理を行なう。
【００４６】
ステップＳ１６０の実行後、ＣＰＵは、処理をステップＳ１７０に進めて、全てのキャリブレーション画像についての色度情報Ｓ３を取得したか否かを判定して、未だ全てを取得していないと判定された場合には、ステップＳ１４０に処理を戻して、次のキャリブレーション画像に関するステップＳ１４０ないしＳ１７０の処理を繰り返し実行する。一方、ステップＳ１７０で全ての情報を取得したと判定されると、「リターン」に抜けてこのキャリブレーションモード時の処理を一旦終了する。すなわち、キャリブレーション画像は、前述したように色合い補正用と階調補正用の６色であることから、ステップＳ１４０ないしＳ１７０の処理は６回行なわれることになる。
【００４７】
図５に移り、受像機本体２０側のＣＰＵは、ステップＳ２１０の実行後、リモコン装置３０から送られてくる赤外線を受信し（ステップＳ２２０）、その赤外線で表わされる情報が色度情報Ｓ３であるか否かを判定する（ステップＳ２３０）。ここで、色度情報Ｓ３でないと判定された場合には、ステップＳ２２０の処理を繰り返して色度情報Ｓ３が送られてくるのを待つ。
【００４８】
一方、ステップＳ２３０で色度情報であると判定されると、ＣＰＵは、ステップＳ２４０に処理を進めて、色差を演算する処理を行なう。詳細には、前述した基準色度記憶部２６と色差演算部２７の各機能を実現するよう処理を行なう。その後、ＣＰＵは、全てのキャリブレーション画像についての色度を取得したか否かを判定して（ステップＳ２５０）、いまだ全てを取得していないと判別された場合には、ステップＳ２１０に処理を戻して、次のキャリブレーション画像に関するステップＳ２１０ないしＳ２５０の処理を繰り返し実行する。一方、ステップＳ２５０で全ての情報を取得したと判定されると、ＣＰＵはステップＳ２６０に処理を進める。キャリブレーション画像は前述したように色合い補正用と階調補正用の合計６つであることから、ステップＳ２２０ないしＳ２５０の処理は６回行なわれることになる。
【００４９】
ステップＳ２６０では、ＣＰＵは、ステップＳ２４０で取得した６つの色差情報に基づいてカラー変換テーブルＣＴＬを更新する処理を行なう。詳細には、前述した色補正部２４ａの機能を実現するよう処理を行なう。ステップＳ２６０の実行後、「リターン」に抜けてこの処理ルーチンを一旦終了する。
【００５０】
なお、図４および図５で示したキャリブレーションモード時における各処理ルーチンは、説明の便宜上、逐次処理にて記載しているが、実際は、パイプライン処理によって必要に応じて並列化して各ステップの処理が行なわれている。
【００５１】
また、図４および図５で示したキャリブレーションモード時における各処理ルーチンには含まれていないが、別ルーチンにより、電源オンの操作指令およびチャンネル切り替えの操作指令を含めてリモコン装置３０で入力される全ての操作指令は、リモコン装置３０から受像機本体２０に送られ、受像機本体２０に対してそれらの操作指令に応じた操作処理が実行される。すなわち、受像機本体２０の電源をオンする操作指令であれば受像機本体２０の電源をオンする処理が、チャンネルを切り換える操作指令であれば受像機本体２０の受信チャンネルを切り換える処理が、その他の操作指令であれば、その操作指令にあった処理が実行される。
【００５２】
Ｄ．作用・効果：
リモコン装置３０は、操作時には必ず受像機本体２０の表示面に向けて使用され、その使用される位置は、視聴者がテレビ映像を視聴する位置とほぼ一致する。上記構成のテレビ受像機１０によれば、キャリブレーション画像を撮像するイメージセンサ３３をリモコン装置３０に設けたことから、リモコン装置３０を操作する視聴者が受ける色をイメージセンサ３３および色度演算部３６により求めることができる。このために、視聴者が見る色度を基準色度に変換するためのカラー変換テーブルＣＴＬを生成することが可能となる。したがって、視聴者が見る色に合った最適な色補正を行なうことができる。しかも、視聴者は、キャリブレーションのための特別な作業は不要であることから色補正を手軽に行なうことができる。
【００５３】
また、本実施例では、リモコン装置３０が操作されて放送チャンネルの切り替えがなされたときに、リモコン装置３０から受像機本体２０に対してキャリブレーションタイミング指令信号Ｓ２を送り、キャリブレーションを行なうよう構成している。このために、受像機本体２０にキャリブレーション画像が表示されるのは、放送チャンネルが切り替わるその一瞬であることから、視聴者は受像機本体２０の表示面を見ていても視覚的に違和感を感じることが少ない。したがって、放送チャンネルの切り替えという日常的な操作の中で視聴者に違和感を感じさせることなくキャリブレーションを行なうことができる。
【００５４】
また、本実施例では、リモコン装置３０によって受像機本体２０の電源をオンしたときにもキャリブレーションを行なうことができる。
【００５５】
さらに、本実施例では、色度演算部３６で求められた色度は圧縮部３７によりデータ圧縮されて赤外線送信部３２に送られる。このために、リモコン装置３０から受像機本体２０に通信するデータ量を少なくすることができることから、赤外線といった比較的、伝送帯域が狭い方式での通信であっても十分に対応することができる。
【００５６】
Ｅ．他の実施形態：
なお、本発明は上記した実施例や変形例に限られるものではなく、その要旨を逸脱しない範囲において種々の態様にて実施することが可能である。
【００５７】
（１）前記実施例では、キャリブレーション画像は、４枚の色合い変換用キャリブレーション画像と、２枚の階調補正用キャリブレーション画像とを用いていたが、これらのものに限る必要がなく、色を規定するキャリブレーション画像であればどのようなものでもよい。例えば、種々の色を表わす標準チャートであってもよい。また、キャリブレーション画像を白のみを表わすものとして色温度補正だけを行なう構成としてもよい。
【００５８】
（２）前記実施例の構成において、リモコン装置３０に手ブレ補正手段を付加する構成としてもよい。手ブレ補正手段としては、イメージセンサ３３によって得られた画像に対して画像処理を施すことにより手ブレを補正する構成、あるいはジャイロセンサーによりぶれの方向と量を検知し、ぶれを打ち消す方向へ光学系を変位させる構成等、いずれの構成であってもよい。この構成により、リモコン装置３０の手ブレによる測定異常を防ぐことができる。
【００５９】
（３）前記実施例では、リモコン装置３０が操作されて、放送チャンネルの切り替えがなされたときまたは電源がオンされたときに、キャリブレーションを行なう構成としていたが、これに替えて、入力映像をテレビジョン放送とビデオレコーダの出力と間で切り換えるとき等の入力先の切り替え時に、キャリブレーションを行なう構成としてもよい。さらに、放送チャンネルの切り替え時、電源のオン時、入力先の切り替え時に限る必要もなく、これらに替えて、リモコン装置に対して他の操作がなされたときにキャリブレーションを行なう構成としてもよい。また、リモコン装置に対して操作がなされたときに限る必要もなく、受像機本体２０側でキャリブレーションを行なうタイミングを定める構成としてもよい。
【００６０】
（４）前記実施例では、キャリブレーションを行なうタイミングをリモコン装置３０側で判定して、キャリブレーションタイミング指令信号Ｓ２の形で受像機本体２０に通知する構成としていたが、これに替えて、受像機本体２０側で、リモコン装置３０から送られてくる操作指令が所定の操作指令であるか否かを判定する構成としてもよい。この構成によれば、キャリブレーションタイミング指令信号Ｓ２の通信が不要となる。
【００６１】
（５）前記実施例では、リモコン装置３０側で色度を求めて、その色度を圧縮して受像機本体２０に送り、受像機本体２０側で色差を求める構成としていたが、これに換えて、色差を求める構成を受像機本体２０側に移して、色差情報を通信する構成としてもよい。すなわち、リモコン装置３０側に基準色記憶部を持たせてある程度の演算を行ない、補正パラメータを赤外線に変換して受像機本体２０側に送信する構成としてもよい。さらには、色度を求める構成を受像機本体２０側に設けて、イメージセンサ３３で得られた撮像結果をそのまま赤外線に変換して受像機本体２０側に送信する構成としてもよい。
【００６２】
（６）前記実施例では、リモコン装置３０と受像機本体２０の間でやり取りする伝送信号は赤外線であるが、これに換えて、有線、超音波、あるいは電波等により通信を行なう構成としてもよい。例えば、リモコン装置が無線ネットワーク化した場合でも対応可能である。この場合には、前記（５）で示したイメージセンサ３３で得られた撮像結果を加工せずにそのまま送信することが容易である。
【００６３】
（７）上述した実施例では、ＲＧＢ信号値を用いたが、ＣＭＹ値やＣＭＹＫ値を用いる場合にも本発明を適用できる。また、撮像手段として、イメージセンサ３３に換えて、測色を行なう色光センサとしてもよい。 
【００６４】
（８）前記実施例の受像機本体２０は、液晶テレビ、プラズマテレビ、ブラウン管テレビ、ＰＴＶ（プロジェクションテレビ）等、種類は問わずいずれであってもよい。さらに、必ずしもテレビである必要もなく、画像の表示を行なう画像表示装置であれば他のものでもよい。ここでいう画像は、映像（動画像）はもちろんのこと、静止画像であってもよい。
【００６５】
（９）前記実施例では、リモコン装置はテレビ付属のものであるが、かならずしもテレビ付属のリモコン装置である必要はなく、要は画像表示装置本体を遠隔操作することができるものであれば、いずれの構成であってもよい。例えば、テレビ用のリモコン機能を搭載した携帯電話等であってもよい。
【図面の簡単な説明】
【００６６】
【図１】本発明の一実施例の画像表示システムを構成するテレビ受像機１０の概略構成図である。
【図２】リモコン装置３０の正面図である。
【図３】受像機本体２０とリモコン装置３０内で実現される機能を示すブロック図である。
【図４】リモコン装置３０により実行されるキャリブレーションモード時の処理を示すフローチャートである。
【図５】受像機本体２０により実行されるキャリブレーションモード時の処理を示すフローチャートである。
【符号の説明】
【００６７】
１０…テレビ受像機
２０…受像機本体
２１…赤外線受信部
２２…ディスプレイ部
２３…受信部
２４…映像処理部
２４ａ…色補正部
２５…キャリブレーション画像データ出力部
２６…基準色度記憶部
２７…色差演算部
３０…リモコン装置
３０ａ…正面
３１…操作盤
３２…赤外線送信部
３３…イメージセンサ
３３ａ…受光部
３４…操作指令生成部
３５…キャリブレーションタイミング判定部
３６…色度演算部
３７…圧縮部
４０…アンテナ
Ｓ１…操作指令信号
Ｓ２…キャリブレーションタイミング指令信号
Ｓ３…色度情報
ＣＴＬ…カラー変換テーブル
【図１】
2008066830.tif 000003
【図２】
2008066830.tif 000004
【図３】
2008066830.tif 000005
【図４】
2008066830.tif 000006
【図５】
2008066830.tif 000007